【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】
【請求項１】  遊技盤の遊技領域に遊技球を発射して遊技が行なわれる弾球遊技機であって、
遊技演出を複数種類の演出態様のうちより遊技者からの演出態様指示にもとづいて選択する演出を実行する演出実行手段を備え、
前記演出実行手段は、
遊技者からの指示を検出する指示検出手段と、
所定の受付期間中に前記指示検出手段が検出した前記演出態様指示を受付けることが可能な指示受付手段と、
前記指示受付手段が前記受付期間に受付けた前記演出態様指示に対応した演出態様を、実行する演出態様として決定する演出態様決定手段とを含み、
前記演出態様決定手段は、遊技者による前記指示検出手段を用いた指示の有無に関わらず、前記受付期間の終了後に演出態様の決定を行なうとともに、前記受付期間内に前記演出態様指示がなかったときには、演出態様指示がなかったときに対応した所定の演出態様を前記実行する演出態様とする決定を行なうことを特徴とする、弾球遊技機。
【請求項２】  前記所定の演出態様は、今回の受付期間が開始する以前の演出態様と異なる演出態様であることを特徴とする、請求項１に記載の弾球遊技機。
【請求項３】  前記演出実行手段は、前記受付期間内において、選択可能な複数の演出態様を同時に提示する演出態様同時提示手段を含むことを特徴とする、請求項１または請求項２に記載の弾球遊技機。
【請求項４】  遊技盤の遊技領域に遊技球を発射して遊技が行なわれる弾球遊技機であって、
所定の始動条件の成立にもとづいて表示結果の導出表示をする可変表示装置と、
前記表示結果の導出表示に際して演出を実行する演出実行手段とを備え、
前記演出実行手段は、
遊技者からの指示を検出する指示検出手段と、
前記始動条件の成立から該成立にもとづき表示結果が導出表示されるまでの間における所定の受付期間内に前記指示検出手段が検出した遊技者からの演出指示により複数の演出のうちから演出の選択を受付け、該演出指示が、導出される表示結果に関与しているかのような擬似参加演出を行なう擬似参加演出実行手段とを含み、
該擬似参加演出実行手段は、遊技者による前記指示検出手段を用いた指示の有無に関わらず、前記受付期間の終了後に演出態様の決定を行なうとともに、前記受付期間内に前記演出指示がなかったときには、演出指示がなかったときに対応した所定の演出を実行することを特徴とする、弾球遊技機。
【請求項５】  前記受付期間において、受付けている指示の内容の報知を行なう指示内容報知手段を備えていることを特徴とする、請求項１から請求項４のいずれかに記載の弾球遊技機。
【請求項６】  前記指示検出手段は、遊技者からの指示を非接触で検出可能であることを特徴とする、請求項１から請求項５のいずれかに記載の弾球遊技機。
【請求項７】  前記遊技盤は、遊技枠に対して着脱自在に設けられるとともに、
前記指示検出手段は、前記遊技盤に設けられていることを特徴とする、請求項１から請求項６のいずれかに記載の弾球遊技機。
【請求項８】  前記指示検出手段により指示の検出がなされている旨の報知を行なう指示検出報知手段を備えていることを特徴とする、請求項１から請求項７のいずれかに記載の弾球遊技機。
【請求項９】  前記受付期間中である旨の報知を行なう受付期間報知手段を備えていることを特徴とする、請求項１から請求項８のいずれかに記載の弾球遊技機。
【手続補正２】
【補正対象書類名】明細書
【補正対象項目名】０００６
【補正方法】変更
【補正の内容】
【０００６】
【課題を解決するための手段】
（１）  遊技盤（遊技盤６）の遊技領域（遊技領域７）に遊技球（パチンコ玉）を発射して遊技が行なわれる弾球遊技機（パチンコ遊技機１）であって、
遊技演出を複数種類の演出態様（たとえば、図柄，キャラクタ，背景，演出のストーリー等）のうちより遊技者からの演出態様指示（たとえば、演出態様の選択）にもとづいて選択する演出を実行する演出実行手段（図３０参照）を備え、
該演出実行手段は、
遊技者からの指示を検出する指示検出手段（たとえば、光センサ６１，６２，６３等）と、
所定の受付期間中（図３０のＳＱ１８，ＳＱ１９参照）に前記指示検出手段が検出した前記演出態様指示を受付けることが可能な指示受付手段（図３０のＳＱ０２，ＳＱ０５参照）と、
前記指示受付手段が前記受付期間に受付けた前記演出態様指示に対応した演出態様を、実行する演出態様として決定する演出態様決定手段（図３０のＳＱ２０等参照）とを含み、
前記演出態様決定手段は、遊技者による前記指示検出手段を用いた指示の有無に関わらず、前記受付期間の終了後に演出態様の決定を行なうとともに、前記受付期間内に前記演出態様指示がなかったときには、演出態様指示がなかったときに対応した所定の演出態様（図３０のＳＱ０４等参照）を前記実行する演出態様とする決定を行なう。
【手続補正３】
【補正対象書類名】明細書
【補正対象項目名】０００７
【補正方法】変更
【補正の内容】
【０００７】
上述の構成によれば、遊技者による前記指示検出手段を用いた指示の有無に関わらず、受付期間の終了後に演出態様の決定を行なうとともに、受付期間内に演出態様を変更する旨の選択がなされなかった場合には、選択がなかったときに対応した所定の演出態様を実行する演出態様に決定し、その演出態様により演出が行なわれる。これにより、未選択によるエラー発生を事前に防止することができる。また、未選択時演出決定用ランダムカウンタ等を用いて自動的に選択させる制御を新たに設ける必要が無く制御負担を格段に軽減させることができる。
【手続補正４】
【補正対象書類名】明細書
【補正対象項目名】００１０
【補正方法】変更
【補正の内容】
【００１０】
（３）  前記演出実行手段は、前記受付期間内において、選択可能な複数の演出態様を同時に提示（たとえば、画面表示・ランプ点灯・遊技音等）する演出態様同時提示手段（図３１（ｃ）等参照）を含む。
【手続補正５】
【補正対象書類名】明細書
【補正対象項目名】００１２
【補正方法】変更
【補正の内容】
【００１２】
（４）  遊技盤（遊技盤６）の遊技領域（遊技領域７）に遊技球（パチンコ玉）を発射して遊技が行なわれる弾球遊技機（パチンコ遊技機１）であって、
所定の始動条件（たとえば、始動入賞等）の成立にもとづいて表示結果の導出表示をする可変表示装置（可変表示装置８）と、
前記表示結果の導出表示に際して演出を実行する演出実行手段（図３６参照）とを備え、
前記演出実行手段は、
遊技者からの指示を検出する指示検出手段（たとえば、光センサ６１，６２，６３等）と、
前記始動条件（たとえば、始動入賞等）の成立から該成立にもとづき表示結果が導出表示されるまでの間における所定の受付期間内に前記指示検出手段が検出した遊技者からの演出指示により複数の演出のうちから演出の選択を受付け（図４１等参照）、該演出指示が、導出される表示結果に関与しているかのような擬似選択演出（図３８等参照）を行なう擬似選択演出実行手段（図３６等）とを含み、
該擬似参加演出実行手段は、遊技者による前記指示検出手段を用いた指示の有無に関わらず、前記受付期間の終了後に演出態様の決定を行なうとともに、前記受付期間内に前記演出指示がなかったときには、演出指示がなかったときに対応した所定の演出（図３６のＳＵ０５）を実行する。